(57)【特許請求の範囲】
【請求項１】
タイヘッド部分（１１）と、ケーブルタイから伸びる細長いタイ末端部分（１２）とを有するケーブルタイ（１０）の取り付けのためのケーブルタイの緊張及び切断工具（２０）において、
前記ケーブルタイを所定の張力設定値まで緊張させる緊張機構（１２０）と、前記末端の余分な部分を前記ケーブルタイから切断する切断機構（３３０）とを作用可能に支持するハウジング（３０）と、
前記ハウジング（３０）により作用可能に支持され且つ前記緊張機構（１２０）及び切断機構（３３０）を作動させ得るように前記緊張機構及び前記切断機構に作用可能に接続された作動機構（１７０）と、
前記ケーブルタイの張力が前記所定の張力設定値に達する前に、前記切断機構（３３０）が動くのを防止するための、前記緊張切断工具（２０）の長手方向軸の周りの周方向力を前記切断機構（３３０）に付与する周方向規制手段（２３０）であって、一旦、前記所定の張力設定値に達すると、前記切断機構（３３０）を解放しケーブルタイの末端をケーブルタイヘッドから切断する周方向規制手段（２３０）とを備える、
ケーブルタイの緊張及び切断工具。
【請求項２】
請求項１によるケーブルタイの緊張及び切断工具において、前記緊張機構（１２０）が、ケーブルタイの緊張及び切断工具の長手方向軸線に沿って伸び且つ引っ込む直線状に往復運動する張力ロッド（１２２）と、ケーブルタイの緊張及び切断工具の先端に隣接して配置され、前記張力ロッド（１２２）に接続されたグリッパアセンブリ（１３２）とを更に備える、ケーブルタイの緊張及び切断工具。
【請求項３】
請求項２によるケーブルタイの緊張及び切断工具において、前記グリッパアセンブリがばね偏倚式爪（１５０）を更に備える、ケーブルタイの緊張及び切断工具。
【請求項４】
請求項２によるケーブルタイの緊張及び切断工具において、前記張力ロッド（１２２）が、基端に配置された隔たった対の肩部（１２４）により画定された通路（１２６）と、末端に配置されたねじ付き部分（１２８）とを更に備える、ケーブルタイの緊張及び切断工具。
【請求項５】
請求項１によるケーブルタイの緊張及び切断工具において、前記切断機構（３３０）が、貫通して伸びる穴（３３３）を有する直線状に往復運動する、円筒状のスリーブ（３３２）を更に備え、該穴が、前記緊張機構（１２０）の直線状に往復運動する張力ロッド（１２２）と同軸状に且つ同心状に作用可能に関係し、該張力ロッドが、ケーブルタイの緊張及び切断工具の長手方向軸線に沿って伸び且つ引っ込む、
ケーブルタイの緊張及び切断工具。
【請求項６】
請求項５によるケーブルタイの緊張及び切断工具において、前記スリーブ（３３２）が、溝（３４６）が形成された基端の支持面（３４４）を更に備える、ケーブルタイの緊張及び切断工具。
【請求項７】
請求項５によるケーブルタイの緊張及び切断工具において、前記スリーブ（３３２）が、該スリーブ上に形成された一対の肩部（３４０）により画定された、中央に配置した通路（３４２）と、末端の支持面（３３８）と、作動面（３３６）が配置された拡張ヘッド（３３４）とを更に備える、ケーブルタイの緊張及び切断工具。
【請求項８】
請求項６によるケーブルタイの緊張及び切断工具において、前記溝（３４６）が、周方向力を付与する前記周方向規制手段（２３０）に対して相補的な前記基端の支持面（３４４）の上に配置され、前記溝（３４６）及び前記周方向規制手段（２３０）が作用可能に関係することが、前記ケーブルタイの張力が前記所定の張力設定値に達する前に前記スリーブ（３３２）が動くのを防止する、ケーブルタイの緊張及び切断工具。
【請求項９】
請求項７によるケーブルタイの緊張及び切断工具において、前記作動面（３３６）が、切断ブレード（３６０）と作用可能に関係した、その末端における段状面（３５５）を有する回動可能に配置されたレバーアーム（３５０）と作用可能に関係し、前記作動面（３３６）が動くと、前記レバーアーム（３５０）の基端が末端方向に押され、該レバーアームが前記切断ブレード（３６０）を上昇させ、ケーブルタイ末端をケーブルタイヘッドから切断する、ケーブルタイの緊張及び切断工具。
【請求項１０】
請求項７によるケーブルタイの緊張及び切断工具において、前記作動面（３３６）が、截頭円錐形の形態とされる、ケーブルタイの緊張及び切断工具。
【請求項１１】
請求項１によるケーブルタイの緊張及び切断工具において、前記作動機構（１７０）が、トリガー部（１７４）と、前記ハウジング（３０）と作用可能に関係した連結機構アセンブリ（１７６）とを更に備える、ケーブルタイの緊張及び切断工具。
【請求項１２】
請求項１１によるケーブルタイの緊張及び切断工具において、
前記トリガー部（１７４）が、カバー（２２０）と、前記ハウジング（３０）に回動可能に取り付けられた一対のグリップリンク（２１０）とを更に備え、
前記連結機構アセンブリ（１７６）が、
前記対のグリップリンク（２１０）間に配置された一対の内側リンク（１９８）であって、各々が隣接する前記グリップリンク（２１０）に作用可能に接続された一対の内側リンク（１９８）と、
該一対の内側リンク（１９８）と作用可能に接続された駆動リンク（１８８）と、
前記ハウジング（３０）に回動可能に取り付けられ且つ前記駆動リンク（１８８）の基端に作用可能に接続された一対の張力リンク（１７８）とを更に備える、ケーブルタイの緊張及び切断工具。
【請求項１３】
請求項１２によるケーブルタイの緊張及び切断工具において、前記内側リンク（１９８）の各々が、スリーブ（３３２）の上に形成された一対の隔たった肩部（３４０）により画定された通路（３４２）と作用可能に関係した半穿刺又は半穿孔ニブ（２００）を更に備える、ケーブルタイの緊張及び切断工具。
【請求項１４】
請求項１２によるケーブルタイの緊張及び切断工具において、前記張力リンク（１７８）の各々が、張力ロッド（１２２）の上に形成された一対の隔たった肩部（１２４）により画定された通路（１２６）と作用可能に関係した半穿刺又は半穿孔ニブ（１８５）を更に備える、ケーブルタイの緊張及び切断工具。
【請求項１５】
請求項１によるケーブルタイの緊張及び切断工具において、周方向力を付与する前記周方向規制手段（２３０）が、張力調節アセンブリ（２７０）と、力伝達アセンブリ（２５０）と、ボール回り止めアセンブリ（２３２）とを更に備える、ケーブルタイの緊張及び切断工具。
【請求項１６】
請求項１５によるケーブルタイの緊張及び切断工具において、前記張力調節アセンブリ（２７０）が、ヨーク（２７４）と、軸（２８７）と、張力ナット（２８８）と、ばね（２７２）と、張力微調節ノブ（２９０）と、カム（２９４）と、張力粗調節ノブ（３１０）とを更に備える、ケーブルタイの緊張及び切断工具。
【請求項１７】
請求項１６によるケーブルタイの緊張及び切断工具において、前記張力調節アセンブリ（２７０）が、張力設定値インジケータを更に備える、ケーブルタイの緊張及び切断工具。
【請求項１８】
請求項１５によるケーブルタイの緊張及び切断工具において、前記ボール回り止めアセンブリ（２３２）が、前記工具ハウジング（３０）に取り付けられたカップ形状ハウジング（２３４）を更に備え、複数のボールベアリング（２４０）及び座部（２４２）が内部に配置された、ケーブルタイの緊張及び切断工具。
【請求項１９】
請求項１８によるケーブルタイの緊張及び切断工具において、前記ボールベアリング（２４０）が切断機構スリーブ（３３２）に形成された溝（２４６）と作用可能に関係する、ケーブルタイの緊張及び切断工具。
【請求項２０】
請求項１８によるケーブルタイの緊張及び切断工具において、前記座部（２４２）が、前記ボールベアリング（２４０）と作用可能に関係した角度付き面と、前記力伝達アセンブリ（２５０）と作用可能に関係した基端面とを有し、これにより、前記張力調節アセンブリに蓄えられた力が前記基端面に加えられ、前記ボールベアリング（２４０）により周方向力が切断機構スリーブ（３３２）に加えられ、該周方向力により、前記ケーブルタイの張力が前記所定の張力設定値に達する前に、前記切断機構が動くのが防止される、ケーブルタイの緊張及び切断工具。
【請求項２１】
タイヘッド部分と、ケーブルタイから伸びる細長いタイ末端部分とを有するケーブルタイ（１０）を取り付けるためのケーブルタイの緊張及び切断工具（２０）工具において、
前記ケーブルタイ（１０）を所定の張力設定値まで緊張させる緊張機構（１２０）と、前記末端の余分な部分を前記緊張させたケーブルタイから切断する切断機構（３３０）と、前記ケーブルタイの張力が前記所定の張力設定値に達する前に、前記切断機構（３３０）が作動するのを防止する規制機構（２３０）とを作用可能に支持するハウジング（３０）を備え、
前記緊張機構（１２０）が、前記緊張切断工具の長手方向軸線の周りに配置された少なくとも１つの直線状に往復運動する張力ロッド（１２２）を備え、
前記切断機構（３３０）が、円筒状の少なくとも１つのスリーブ（３３２）を備え、
前記規制機構（２３０）が、少なくとも１つのボール回り止めアセンブリ（２３２）を備え、
もって、前記ボール回り止めアセンブリ（２３２）が前記工具ハウジング（３０）に取り付けられ且つ前記スリーブ（３３２）と同軸状に且つ同心状に作用可能に関係し得る形態とされ、貫通して伸びる円筒状の穴（２４４）を有し、該スリーブ（３３２）が、前記張力ロッド（１２２）と同軸状に且つ同心状に作用可能に関係し得るよう貫通して伸びる形態とされた、円筒状の穴を有する、ケーブルタイの緊張及び切断工具。
【請求項２２】
請求項２１によるケーブルタイの緊張及び切断工具において、前記緊張機構（１２０）が、前記ケーブルタイの緊張及び切断工具の長手方向軸線に沿って伸び且つ引っ込む直線状に往復運動する張力ロッド（１２２）と、前記ケーブルタイの緊張及び切断工具の先端に隣接して配置され、前記張力ロッド（１２２）に接続されたグリッパアセンブリ（１３２）とを更に備える、ケーブルタイの緊張及び切断工具。
【請求項２３】
請求項２２によるケーブルタイの緊張及び切断工具において、前記グリッパアセンブリ（１３２）がばね偏倚式爪（１５０）を更に備える、ケーブルタイの緊張及び切断工具。
【請求項２４】
請求項２２によるケーブルタイの緊張及び切断工具において、前記張力ロッド（１２２）が、基端に配置された隔たった対の肩部（１２４）により画定された通路（１２６）と、末端に配置されたねじ付き部分（１２８）とを更に備える、ケーブルタイの緊張及び切断工具。
【請求項２５】
請求項２１によるケーブルタイの緊張及び切断工具において、前記直線状に往復運動する円筒状のスリーブ（３３２）が、貫通して伸びる穴（３３３）を更に備え、該穴が、前記緊張機構（１２０）の前記直線状に往復運動する張力ロッド（１２２）と同軸状に且つ同心状に作用可能に関係し、該ロッド（１２２）がケーブルタイの緊張及び切断工具の長手方向軸線に沿って伸び且つ引っ込む、ケーブルタイの緊張及び切断工具。
【請求項２６】
請求項２５によるケーブルタイの緊張及び切断工具において、前記スリーブ（３３２）が、溝（３４６）が形成された基端の支持面（３４４）を更に備える、ケーブルタイの緊張及び切断工具。
【請求項２７】
請求項２５によるケーブルタイの緊張及び切断工具において、前記スリーブ（３３２）が、一対の肩部（３４０）により画定された中央に配置した通路（３４２）と、末端の支持面（３３８）と、作動面（３３６）が配置された拡張ヘッド（３３４）とを更に備える、ケーブルタイの緊張及び切断工具。
【請求項２８】
請求項２６によるケーブルタイの緊張及び切断工具において、前記溝（３４６）が前記ボール回り止めアセンブリ（２３２）に対して相補的な前記基端の支持面（３４４）上に配置され、該溝（３４６）及び該ボール回り止めアセンブリ（２３２）が作用可能に関係し、もって、前記ケーブルタイの張力が前記所定の張力設定値に達する前に前記スリーブ（３３２）が動くのを防止する、ケーブルタイの緊張及び切断工具。
【請求項２９】
請求項２７によるケーブルタイの緊張及び切断工具において、前記作動面（３３６）が、切断ブレード（３６０）と作用可能に関係した、その末端における段状面（３５５）を有する回動可能に配置されたレバーアーム（３５０）と作用可能に関係し、前記作動面（３３６）が動くと、前記レバーアーム（３５０）の基端が末端方向に押され、該レバーアーム（３５０）が前記切断ブレード（３６０）を上昇させ、ケーブルタイ末端をケーブルタイヘッドから切断する、ケーブルタイの緊張及び切断工具。
【請求項３０】
請求項２７によるケーブルタイの緊張及び切断工具において、前記作動面（３３６）が、截頭円錐形の形態とされる、ケーブルタイの緊張及び切断工具。
【請求項３１】
請求項２１によるケーブルタイの緊張及び切断工具において、トリガー部（１７４）と、前記ハウジング（３０）と作用可能に関係した連結機構アセンブリ（１７６）とを含む作動機構（１７０）を更に備える、ケーブルタイの緊張及び切断工具。
【請求項３２】
請求項３１によるケーブルタイの緊張及び切断工具において、
前記トリガー部（１７４）が、カバー（２２０）と、前記ハウジング（３０）に回動可能に取り付けられた一対のグリップリンク（２１０）とを更に備え、
前記連結機構アセンブリ（１７６）が、
前記対のグリップリンク（２１０）間に配置された一対の内側リンク（１９８）であって、各々が隣接する前記グリップリンク（２１０）に作用可能に接続された一対の内側リンク（１９８）と、
該一対の内側リンク（１９８）と作用可能に接続された駆動リンク（１８８）と、
前記ハウジング（３０）に回動可能に取り付けられ且つ前記駆動リンク（１８８）の基端に作用可能に接続された一対の張力リンク（１７８）とを更に備える、ケーブルタイの緊張及び切断工具。
【請求項３３】
請求項３２によるケーブルタイの緊張及び切断工具において、前記内側リンク（１９８）の各々が、前記スリーブ（３３２）の上に形成された一対の隔たった肩部（３４０）により画定された通路（３４２）と作用可能に関係した半穿刺又は半穿孔ニブ（２００）を更に備える、ケーブルタイの緊張及び切断工具。
【請求項３４】
請求項３２によるケーブルタイの緊張及び切断工具において、前記張力リンク（１７８）の各々が、前記張力ロッド（１２２）の上に形成された一対の隔たった肩部（１２４）により画定された通路（１２６）と作用可能に関係した半穿刺又は半穿孔ニブ（１８５）を更に備える、ケーブルタイの緊張及び切断工具。
【請求項３５】
請求項２１によるケーブルタイの緊張及び切断工具において、前記規制機構（２３０）が、張力調節アセンブリ（２７０）と、力伝達アセンブリ（２５０）とを更に備える、ケーブルタイの緊張及び切断工具。
【請求項３６】
請求項３５によるケーブルタイの緊張及び切断工具において、前記張力調節アセンブリ（２７０）が、ヨーク（２７４）と、軸（２８７）と、張力ナット（２８８）と、ばね（２７２）と、張力微調節ノブ（２９０）と、カム（２９４）と、張力粗調節ノブ（３１０）とを更に備える、ケーブルタイの緊張及び切断工具。
【請求項３７】
請求項３６によるケーブルタイの緊張及び切断工具において、前記張力調節アセンブリ（２７０）が、張力設定値インジケータを更に備える、ケーブルタイの緊張及び切断工具。
【請求項３８】
請求項３５によるケーブルタイの緊張及び切断工具において、前記ボール回り止めアセンブリ（２３２）が、前記工具ハウジング（３０）に取り付けられたカップ形状ハウジング（２３４）であって、複数のボールベアリング（２４０）及び座部（２４２）が内部に配置されたカップ形状ハウジング（２３４）を更に備える、ケーブルタイの緊張及び切断工具。
【請求項３９】
請求項３８によるケーブルタイの緊張及び切断工具において、前記ボールベアリング（２４０）が、前記スリーブ（３３２）に形成された溝（２４６）と作用可能に関係する、ケーブルタイの緊張及び切断工具。
【請求項４０】
請求項３８によるケーブルタイの緊張及び切断工具において、前記座部（２４２）が、前記ボールベアリング（２４０）と作用可能に関係した角度付き面と、前記力伝達アセンブリ（２５０）と作用可能に関係した基端面とを有し、これにより、前記張力調節アセンブリに蓄えられた力が前記基端面に加えられ、前記ボールベアリング（２４０）により周方向力が切断機構スリーブ（３３２）に加えられ、該周方向力により、前記ケーブルタイの張力が前記所定の張力設定値に達する前に、前記切断機構が動くのが防止される、ケーブルタイの緊張及び切断工具。
【発明の詳細な説明】
【０００１】
【発明の属する技術分野】
本発明は、全体として、手持ち型のケーブルタイ緊張及び切断工具、より具体的には、ケーブルタイに過度の張力を加えることなく、可撓性のケーブルタイを確実に取り付け又はケーブルタイに大きい張力を付与し且つそのケーブルタイの末端を切断する、改良された工具に関する。
【０００２】
【発明の背景】
当業者に周知の如く、電線及び電気ケーブル等の物品を固着し又は切断するためにケーブルタイ又はストラップが使用される。従来のケーブルタイは、ケーブルタイヘッドと、タイから伸びる細長い末端とを有している。末端は、物品の束の周りに巻かれ、その後、ヘッドの通路を挿通する。ケーブルタイヘッドは、典型的に、係止要素を支持する。この係止要素は、ヘッドの通路内に伸び且つ末端の本体と係合し、末端をヘッドに対して固着する。
【０００３】
実際上、取付け者は、結束しようとする物品の周りにタイを手で配置し、末端をヘッドの通路を通して挿入し、次に、タイを束の周りで手で締め付ける。この時点にて、ケーブルタイを所定の張力まで緊張させるためケーブルタイの取付け工具を使用する。取付け者がかかるタイを手で締め付ける緊密さの程度に対応して、タイを十分に緊張させるため１回以上の握り動作が必要とされよう。ストラップの張力が所望の予め定めた張力の設定レベルに達したならば、工具は、タイから余分な末端部分、すなわち、ケーブルタイのヘッドを超えて伸びる末端部分を切断する。
【０００４】
従来技術の工具は、ケーブルタイの余分な末端部分を緊張させ且つその後に切断することはできるが、典型的に、該末端部分と関連した幾つかの不利な点がある。これら不利な点は、単独にて又は複数にて、不良な人間工学のため操作者が負傷する機会が増す、即ち、その結果、工具が破損し又は信頼性が低下し、このためケーブルタイを均一に的確に取り付けることが不可能となる。例えば、ケーブニィー等の米国特許第３，６６１，１８７号に開示された鋳造金属本体の工具は、従来の連結機構型式の緊張及び切断アセンブリを使用する。この工具ハウジングの設計は、非常に人間工学的であるとはいえないが、操作性に関しては、この連結機構の設計は極めて耐久性がある。鋳造金属の本体は、多くの連結機構アームを取り付け且つそのアームに対する枢着点を提供するためピン又は軸がその内部に固着される開孔を提供する。連結機構型式の緊張及び切断アセンブリは、ピン位置にてかかる大きい力及び片持ち荷重を発生させるため、確実に作動し且つピンがハウジングを変形させたり、動かしたりするのを防止する上で耐久性のある鋳造金属本体が必要となる。ピンが動くことができず、また、アームがその所期の動作を通じて動くとき、部分的に圧縮されたばねの貯蔵エネルギ原理を使用して、正確に且つ予見可能な切断分離が実現される。しかし、鋳造金属本体の不利益な点は、相当な数の製造ステップが必要であり、このため、コストがより増すことである。
【０００５】
他の従来技術の例は、改良された人間工学性を有するプラスチック本体付きの工具を開示する、全てダイヤー等の米国特許第４，７９３，３８５号、同第４，９９７，０１１号、同第５，４９２，１５６号を含む。ケーブニィー等の特許に開示されたものと同様の従来の連結機構型式の装置が使用されているが、張力調節アセンブリは、工具の頂部まで動かしてある。この位置にある時、操作者は、張力調節ノブを容易に観察し且つ操作することができる。更に、より大きく湾曲したハンドルが図示されているが、実際には、該ハンドルと共に使用される発泡材ハンドルカバーは、非常に人間工学的でないといえる最終的な結果を生じさせる。この工具の主たる不利益な点は、従来から公知である角度が大きい力の連結機構の設計をプラスチック本体と組み合わせることである。この組み合わせの結果、工具は、従来の設計と略同様に耐久性がない。連結機構の設計による大きい偏心荷重力がプラスチック本体内に取り付けたピンに加わる。工具を繰り返して使用する回数が増すに伴い、ピン穴は細長くなり、ピンが移動する、すなわち、かたつくのを許容する。その結果、連結機構の型式の設計の一般的な特徴である明確な分離点は予見不能となり、正確に緊張させることができなくなる。このことは、工具の操作者に対し適正な張力となったことを不明確にしか感知させないのみならず、ケーブルタイストラップの緊張状態が不正確且つ不均一な結果ともなる。最終的に、この工具は、妥当に繰り返し可能な結果を生じさせることができず、繰り返して使用した後、使用不能な工具として廃棄しなければならない。
【０００６】
ニールセン等の米国特許第５，９１５，４２５号に記載された最新の従来技術の工具は、従来技術の工具なおける幾つかの人間工学的欠点を解決することを提案している、すなわち、グリップ寸法が調節可能であること、先端が調節可能であること、反動衝撃／振動が減少することを提案している。これらの欠点を解決しようとする一方にて、プラスチック本体付きの工具は、以前に開示した緊張及び切断アセンブリに異なる形態を採用する。しかし、この設計は、実際には、性能の劣る工具となり、この工具は耐久性がなく、工具間にて緊張の不正確さを生じ、切断したとき明確な分離箇所を提供できず、また、張力設定値を正確に較正できず、さらに、弱体な張力設定装置を使用するものである。
【０００７】
このため、当該技術分野においては、人間工学的であり、信頼性が高く、耐久性があり、しかも均一な切断高さを提供し、軽量なプラスチックハウジングを備え且つ明確な切断分離点を提供する取付け工具が必要とされている。
【０００８】
発明の概要
従来技術の要求に対処する本発明は、ケーブルタイを取り付ける工具に関するものである。ケーブルタイは、ヘッドと、タイから伸びる細長い末端とを有している。該工具は、全体としてピストル型のハウジングを備えている。該ハウジングは、ケーブルタイを所定の張力設定値に緊張させる緊張機構と、末端の余分な部分を緊張させたケーブルタイから切断する切断機構とを作用可能に支持する。該ハウジングは、固定のハンドルと、該ハンドルと協働するグリップ部又はトリガー部を備えており、該トリガー部がハンドルに対して動くことで緊張及び切断機構が作動する。ケーブルが以前から所望の予め設定した張力設定値に達する前に、切断機構が作動するのを防止する周方向規制手段が設けられている。所望の張力が達成された後、該規制手段は、ケーブルタイの末端をケーブルタイヘッドから切断する切断機構を解放する。
【０００９】
本発明の重要な目的の１つは、上記型式の可撓性のタイ又はストラップをワイヤー等の束に対し迅速に且つ経済的に取り付けると共に、そのときに、タイの自由な端部すなわちルーズな端部を切断する改良された手動工具であって、均一な所定の張力にて連続的なストラップを取り付ける極めて改良された機構を備え、その結果、ユーザが工具を把持する状態に関係なく、上記の目的を実現する人間工学的形状をした軽量なプラスチックハウジングを使用して、均一な切断高さを実現する手動工具を提供することである。
【００１０】
本発明の別の重要な目的は、タイを漸進的に緊張させる緊張機構と、ストラップを切断するブレードを作動させる切断機構と、緊張機構及び切断機構の双方に対し作動力を加える作動機構とを備えるストラップ緊張及び切断工具であって、ストラップにて所定の張力に達する迄、そのブレードの切断動作を防止すべく切断機構に周方向力を加える追加的な規制手段が採用されるストラップの緊張及び切断工具を提供することである。更に、該規制手段は、ストラップにて所定の張力に達したとき、切断機構に加わる規制力を実質的に軽減し又は解放するアセンブリを更に備え、これにより、その時、切断機構がブレードを直ちに且つ迅速に作動させてストラップを切断し、これにより、操作者に対し分離点を明確に表示する一方にて、具合良く取り付けられたストラップが正確に且つ均一に緊張されることを確実にする。
【００１１】
本発明の更に別の重要な目的は、同心状に且つ同軸状に取り付けられた張力ロッドと、切断機構のスリーブと、大きい偏心荷重を減少させる規制手段とを備え、ストラップを緊張させ且つ切断する、比較的簡単で且つ極めて改良された機構を備える、上述した特徴の手動工具を提供することである。
【００１２】
本発明の別の重要な目的は、所望の予め設定した張力設定値がケーブルタイにて実現される迄、切断機構が動くのを防止し、そのとき、明確で且つ特徴的な分離点が形成されるようにする、主としてボール止めアセンブリから成る規制手段を有するケーブルタイの取付け工具を提供することである。
【００１３】
本発明の更に別の目的は、比較的経済的に製造でき、その使用中に完壁に信頼性が高く、耐久性に優れ、快適に且つ便宜に使用できる上記型式のストラップ緊張及び切断工具を提供することである。
【００１４】
本発明の更に別の目的は、ケーブルタイの末端の平坦面又は鋸歯状面の何れかを掴むことによりケーブルタイを確実に緊張させる、改良された手持ち型のタイ緊張及び切断工具を提供することである。
【００１５】
【発明の実施の形態】
本発明の概念を具体化するケーブルタイを取り付ける工具は、添付図面にて全体として参照番号２０で示されている。図１乃至図３に図示するように、手持ち工具２０は、ハンドル部分３２及び外筒部分５０を有するハウジング３０を備えている。該ハウジング３０は、ハンドル部分３２及び外筒部分５０を画定し得るように共に固着された２つの別個の相補的な側壁部分９０、９２を有する。ハンドル部分３２は、前側部３４と、後側部３６と、両側壁３８、３９と、底部４０とを有している。図示した実施の形態において、両側部３８、３９は、全体として円弧状の望ましい人間工学的設計を有し、また、互いに実質的に鏡像である。また、後側部３６は、工具２０の人間工学性を向上させ得るように含めた深いリセス部３７を有する対応する円弧状の形状をしている。また、前側部３４も円弧状の形状をしているが、その程度は、後面３６よりも小さく、また、衝撃力吸収パッド３５を有しており、このパッド３５によって操作者に対する衝撃力及び振動を減少させることで工具２０の人間工学的特徴を向上させる。底部４０は、全体として半球状の形態と同様の湾曲面を有し、ハンドルの下方伸長部の共通点にて側部３８、３９、前側部３４及び後側部３６を共に接続する。
【００１６】
外筒部分５０は、頂部５２と、底部５６と、両側部６０、６２とを有する。図示した実施の形態において、頂部５２は、ハンドル部分３２から工具２０の末端２２まで伸び、末端２２の付近に形成された平坦な上部分５３を有する、全体として半円形の形態であることを特徴としている。頂部分５２は、平坦部分５３よりも底部５６から更に離れる持ち上がった面５４も有している。該持ち上がった面５４は、ハンドル部分３２に隣接して側部６０、６２と一体である。両側部６０、６２の各々は、工具２０の末端２２からハンドル３２に向けてある距離だけ伸びるように配置された小さい平坦要素６３を有している。追加的な湾曲面６４がそれぞれ、実質的に平坦な要素６３の上方及び下方に配置されている。底部５６は平坦な頂部分５３に対して全体として平行な形態にて実質的に平坦である。切断要素３３０の要素を受け入れ得るように、実質的に矩形の開孔５８が形成されている。
【００１７】
図４乃至図７において、ハウジング３０の１つの側壁９０は、他のハウジングの側壁９２の内側及び内部部品及び機構を示すため切欠、即ち除去してある。ハウジング３０は、全体として、好ましくは円筒状の形状の張力ロッド１２２と、ケーブルタイ１０のタイの末端を掴み得るように張力ロッド１２２の末端に配置されたグリッパアセンブリ１３２とにより形成された、往復運動式の緊張機構１２０を備えている。張力ロッド１２２は、外筒部分５０の長手方向軸線２６に沿って実質的に伸びている。緊張機構１２０は、機械的連結機構アセンブリ１７６及び手操作のトリガー部１７４により作動機構１７０に作用可能に接続されている。また、該作動機構１７０は、規制機構２３０に、及びタイ切断機構３３０にも作用可能に接続されている。
【００１８】
工具１０は、工具の外筒５０の前側部６６に固定されたブレードガード７０を有している。好ましい実施の形態において、ブレードガードは金属製である。より具体的には、ブレードガード７０は、より低コストにて強度が得られるように金属射出方法により製造される。ブレードガード７０は、工具外筒５０から反対方向を向いた前側の平坦面７１を有している。色々な異なる湾曲形状の多岐に亙る異なる寸法のケーブルタイヘッドを受け入れる円弧状の形状のリセス要素７２がその上に形成されている。また、ブレードガード７０は、前側の平坦面７１を貫通するタイスロット７３も有しており、末端部分１２を最初に、ワイヤー束１３の周りに進め且つケーブルタイヘッド１１を通じて進めた後、工具操作者は、このタイスロット７３にケーブルタイ１０のタイ末端１２を通す。
【００１９】
図４乃至図７に図示するように、工具２０は、緊張機構１２０を有する一方、緊張機構１２０は、張力ロッド１２２と、グリッパアセンブリ１３２とを有している。好ましい実施の形態において、張力ロッド１２２は、その長手方向伸長部に沿って全体として円筒状である。一対の肩部１２４は、基端方向に配置された端部１２３にその後に形成された通路１２６を画定する。同様に、ロッド１２２の末端１２７には、一組みのねじ部１２８が形成されている。グリッパアセンブリ１３２は、ハウジング１３４と、カバー１４４と、爪１５０とを有している。爪１５０は、ピン又は軸１５２によりハウジング１３４内に固着され且つ当業者に周知であるように、ばね１５３によりケーブルタイ末端１２を掴み得るように偏倚されている。また、ハウジング１３４は、ナット１２９により張力ロッド１２２の末端１２７に固着されている。このナット１２９は、その端板１３７に形成された開孔１３８に張力ロッド１２２を挿入した後、張力ロッド１２２の末端１２７に形成された一組のねじ部分１２８に係合する。ナット１２９を張力ロッド１２２の末端１２７に固着する前に、その端板１４６上に形成された開孔１４５を有するカバー１４４を張力ロッド１２２の末端１２７上に取り付ける。タイの末端１２に爪１５０が係合する。爪１５０は、複数のタイ掴み歯部分１５４を有している。爪１５０は、ケーブルタイの圧力板１３９の下方に配置された全体として矩形の開孔１４０を貫通してハウジング１３４外に伸びる。該開孔１４０は、カバー１４４の末端とハウジング１３４の末端との間を伸びる。掴み歯部分１５４が隔てて配置され且つ爪１５０から上方に角度が付けられている。掴み歯部分１５４は、緊張させる目的のため、平坦又は鋸歯状のケーブルタイの末端の何れかの上にてグリッパがケーブルタイ末端１２を掴むことを可能にするのに十分な深さ及び鋭さを更に有している。爪１５０は、軸１５２及び爪１５０に係合する捩りばね１５３により軸１８の周りにて工具２０の末端２２に向けて前方に回転し得るように偏倚されている。爪１５０は、タイ圧力板１３９と爪１５０との間のタイ通路１４１内に保持されたタイの末端１２に掴み圧力を付与する。
【００２０】
工具２０は、トリガー部１７４を張力ロッド１２２に接続する機械的な連結機構アセンブリ１７６を含む作動機構１７０を更に備えている。工具トリガー部１７４を引くことにより、操作者は工具２０の基端２４の方向に向けて張力ロッド１２２に力を加え、これにより、タイの末端１２を工具２０の基端２４に向けて引き付け且つタイ１０をワイヤー１３の周りに締め付ける。
【００２１】
工具２０がその最初の位置（図７）にあるとき、緊張機構１２０及び張力ロッド１２２は、ハンドル３２内に配置された戻りばね１７２により工具外筒５０内のその最前方位置まで偏倚される。この位置において、爪１５０は外筒５０の案内ボス６８に当接する。工具トリガー部１７４を握った後に放すと、案内ボス６８の後側部６９が爪１５０の前側部１５５に係合する。この前側部１５５は、案内ボスの後側部６９と相補的な形態とされており、このため、タイの末端１２を切断し且つ張力ロッド１２２を戻した後、その反作用により前側部１５５は案内ボスの後側部６９に係合し且つ該後側部に乗り上げ、後方に回転して爪１５０とタイの圧力板１３９との間のタイの通路１４１を開放し、これにより、切断したタイの末端１２がタイの通路１４１外に容易に落下するのを許容し得るようにしてある。
【００２２】
外筒５０の右側部の前端６６は、リセス部分６７を有し、ブレードガード７０は平坦な前面７１から横方向後方に伸びる側部要素７４を更に備えており、側部要素７４は、取り付けたとき、リセス部分６７内に休止する。側部要素７４は、リセス部分６７内に休止したとき、リセス部分７４の後方にて外筒５０の右側部と全体として面一である。側部要素７４は、頂部要素７５及び平坦な前面７１と一体である。頂部要素７５は、同一人たるパンディット・コーポレーションに譲渡され且つ参考として引用し本明細書に含めた、アレット等の米国特許第５，０６５，７９８号に記載されたように切断機構３３０と協働可能に配置されたアンビル７６を有している。
【００２３】
緊張行程中、爪１５０はタイの末端１２に係合し且つタイの末端１２をタイの圧力板１３９に対して押し付け、その結果、爪１５０の後方のタイの末端１２の部分はカバー１４４から上方に角度が付けられる。タイの末端１２を上方角度位置に保つことにより、タイの末端１２が工具２０内を進み且つ工具２０を詰まらせる可能性が著しく減少する。
【００２４】
緊張機構１２０は、連結機構アセンブリ１７６を有する作動機構１７０に作用可能に接続されている。作動機構１７０は、一対の張力リンク１７８と、駆動リンク１８８と、一対の内側リンク１９８と、一対のグリップリンク２１０と、グリップ又はトリガー部のカバー２２０とを有する。実質的に同一の張力リンク１７８の最上端１８４は、円形又は円筒状の形態であることが好ましい半有孔部、半穿刺部すなわちニブ伸長部１８５を有するように製造し、このニブ伸長部は、互いの方向に向けて内方に伸びて、張力ロッド１２２の基端１２３に形成された通路１２６内に自由に浮動可能な形態にて確実に係合する（図９及び図１０）。通路１２６は、張力ロッド１２２の基端１２３に形成された一対の肩部１２４により画定されている。
【００２５】
各張力リンク１７８の他端すなわち下端１７９には、開孔１８０が形成されており、ピン１８２をこの開孔１８０を通じて挿入し且つハウジング側壁９０、９２の各々に固着し、張力リンク１７８に対する回動点を提供する。ピン１８２よりも僅かに大きい内径を有するスリーブスペーサ１８１が張力リンク１７８の下端１７９の間に配置され、半穿刺部１８５が通路１２６に対して適正に分離し且つ正確に係合することを確実にすると共に、半穿刺部１８５と回動開孔１８０との間の所望の位置に配置された張力リンク１７８の追加的な組の開孔１８６に対し駆動リンク１８８の基端１８９を取り付けることを可能にする。
【００２６】
図９及び図１０に図示するように、軸１９２は、張力リンクの開孔１８６及び駆動リンク１８８の取付けボス１７０を通して挿入し、駆動リンク１８８の基端１８９を自由回転可能な方法にて張力リンクに固着する。駆動リンク１８８の他端すなわち末端１９４は、一対の内側リンク１９８の間に配置され且つ軸２０５により該リンクに対して固着されている。該軸２０５は、各要素に形成された整合した開孔を通じて挿入し且つ回転動作を許容する。駆動リンク１８８を内側リンク１９８における所定の位置に強固に固着すべく軸２０５を受け入れる開孔２０４は、その各々が、以下に説明するように、半有孔部、半穿刺部すなわちニブ伸長部２００を有する上端１９９と、対の内側リンク１９８をグリップ又はトリガー部リンク２１０の実質的に中央部分に回動可能に固着する軸２０６を受け入れ得るように他端すなわち下端２０２に形成された開孔２０３との間における実質的に中央部分に形成されている。グリップリンク２１０は、実質的に、トリガー部１７４の長さに亙って伸び、好ましくは、所望の僅かな程度だけ、工具ハウジング３０内に更に伸びている。グリップリンク２１０は、工具ハウジング内に伸びるグリップリンク２１０の上端２１２に形成された拡大寸法の開孔２１３によりそれぞれハウジング側壁９０、９２に回動可能に取り付けられている。開孔２１３は、ブッシュ２１４に配置されている。ブッシュ２１４は、各側部ハウジング９０、９２に形成された空所９３内に超音波溶接されている。好ましくは、当業者に公知であるように、所望の程度だけ空所９３から外に伸びる各ブッシュ２１４に少量のグリースを塗布し、グリップリンク２１０が平滑に回動するようにする。
【００２７】
好ましくは、各側部ハウジング９０、９２の内面に一連の持ち上がった突起９４を設け、リンクがその動作を介して移動するとき、張力リンク１７８の整合を助け且つ自由な遊び程度を制御し得るようにする。各内側リンク１９８の上端１９９に配置された半穿刺部２００は、切断機構スリーブ３３２上に形成された通路３４２に形成されている。該切断機構スリーブ３３２は、その一側部にて形成された一対の肩部３４０により画定され、該一対の肩部３４０は、作動中、半穿刺部２００を全体として位置決めするが、浮動自在な形態を許容する。
【００２８】
図８乃至図１１及び図１６に図示した規制機構３３０は、ボール回り止めアセンブリ２３２と、張力調節アセンブリ２７０とを備えている。ボール回り止めアセンブリ２３２は、全体として、ハウジング２３４から成っている。該ハウジング２３４は、実質的にカップ形状であり、カップ形状の底部２３６から半径方向に伸び且つ好ましくは環状の形態を有するフランジ部分２３５を備えるようにする。カップ２６３の底部には開孔２３８が形成されている。該開孔２３８は、全体として、略切断機構スリーブ３３２の基端面３４４のみを受け入れ、アセンブリの他の要素を保持し得るように適正な形態とされている。フランジ部分２３５は、各側部ハウジング９０、９２に形成した相補的な形状の半円形のスロット９５内に挿入したとき、各側部ハウジング９０、９２に確実に固着される。該スロットは、環状の形状のフランジ部分２３５を周方向に保持し、その長手方向への動きを防止する。好ましくは、回転動作も制御されるようにするが、このことは必須ではない。複数のボールベアリング２４０及び座部２４２がハウジング２３４内に配置されている。ボールベアリング２４０は、ハウジング２３４の底部２３６と座部２４２との間に拘束され、張力調節アセンブリ２７０における所望の予め設定した張力設定値が達成される迄（図１４）、タイの末端１２を緊張させる間、スリーブ３３２を所定の位置に固着する。この作用に関し以下により完全に詳細に説明する。
【００２９】
座部２４２は、平坦で環状の基端面２４３を有するのが好ましい。座部２４２を貫通して末端方向に伸びる開孔２４４が形成され、その最終的な伸長部にてその末端における座部２４２の外径に略等しい増大する直径を有している。この直径が増す程度は、張力調節アセンブリ２７０内に蓄えられた力に対してスリーブ３３２に付与される力を変化させることができる。その結果、座部２４２の斜面又は円錐形面２４６がボールベアリング２４０に接触し、このボールベアリングがスリーブ３３２に対して蓄えられた力を付与するとき、周方向規制力が発生する。
【００３０】
張力調節アセンブリ２７０は、力伝達アセンブリ２５０によりボール回り止めアセンブリ３２３に作用可能に接続されている。ボール回り止めアセンブリ２３２と張力調節アセンブリ２７０との間にて回動可能に取り付けられた一対の逆転リンク２５２は、力伝達アセンブリ２５０を備えている。各逆転リンク２５２の底端部すなわち下端２５４には工具２０の末端２２に向けて伸びる下側ニブ突起が配置されている。該逆転リンクは、環状面２４３の近傍の座部の直径方向の両側に接触し得るように配置されている。これを行う間、逆転リンク２５２は、スリーブ３３２と、該リンク内に配置された張力ロッド１２２とを跨ぐ。ニブ２５５の上方の所望の位置において、各リンク２５２の実質的に中央領域に形成された開孔２６０内に枢着ピン２６２が配置されている。図１１に図示するように、ピン２６２は、工具の側壁９０、９２の取付けボス９６内に配置されている。このように、逆転リンク２５２は、確実に取り付けられているが、回動可能に回転自在である。当業者は、釣り合った荷重がピン２６２により支承されていおり、その結果、偏心程度が少ないすなわち片持ち荷重が側壁９０、９２に伝達されることが認識されよう。
【００３１】
各逆転リンク２５２の上端２５６の開孔２５７内に配置された別の軸２５８が力伝達アセンブリ２５０を張力調節アセンブリ２７０に作用可能に接続する。案内突起９７が軸２５８の移動経路に沿って各側部９０、９２に配置され、逆転リンク２５２の適正な整合状態を保ち且つ張力調節アセンブリ２７０が回転するのを防止する。好ましくは、工具２０の平滑な作用を確実にするため、案内突起９７の各々にはグリースを僅かに塗布することが好ましい。
【００３２】
図８には、ヨーク２７４の２つのアーム２７５の間に保持された張力ばね２２２を有する張力選択可能な調節アセンブリ２７０の１つの好ましい実施の形態が図示されている。ばね２７２は、ヨークのアーム２７５内で軸方向に配置された張力軸２８２を取り巻いている。上述した軸２５８は、ヨークの末端に隣接して配置された突起２７６に係合することにより、ヨークのアーム２７５を共にヨーク２７４の末端にて接続する一方、ヨーク２７４の後部は、張力軸２８２が通るのを受け入れ得るように実質的に円筒状の開口部２８０を有する端部板２７８を備えている。張力軸２８２は、その末端にねじ付き部分２８３を有しており、該ねじ付き部分２８３は、ねじ付きの張力ナット２８８と螺着可能に係合する。張力ナット２８８は、横端縁２８９に形成された両スロット２９０を有しており、該両スロットは、ヨークのアーム２７５を捕捉し且つ該ヨークのアームに沿って乗り上げ、また、ヨークのアーム２７５に対し張力ナット２８８が回転するのを防止する。工具の最初の位置（図７）において、張力ばね２７２は、張力ナット２８８とヨークの端部プレート２７８との間に配置されるため、僅かな予荷重又は圧縮力が加わる。張力軸２８２上で張力ナット２８８が後方に動くと、ばね２７２に加わる張力が増し、また、ばね２７２が逆転リンク２５２に加える力を増し、最終的に、ボール回り止めアセンブリ２３２を介して切断機構３３０に加わる力を増すことになる。
【００３３】
好ましくは、六角形の形状の部分２８５が張力軸２８２の全体として中央部分に実質的に配置されている。当業者に明らかであるように、張力軸２８２のこの部分２８５は、所望に応じて任意の数の平坦な部分を備えることができる。全体として円形の外径の形態を有する微調節ノブ２９０であって、その中心の周りに配置されて貫通して伸び且つ部分２８５と相補的な形状とされた開孔２９２を有する微調節ノブ２９０が部分２８５の上に取り付けられている。好ましくは、カムの上端又は基端を画定する異なる所望の高さに配置された多岐に亙る対のカム面２９６、２９８、３００を有する全体として円筒状の形状のカム２９４が設けられるようにする。これらの対のカム面２９６、２９８、３００は、張力粗調節ノブ３１０と協働して使用したとき、工具２０の張力粗調節を可能にする。
【００３４】
カム２９４は、半径方向内方に所望の距離だけ伸びる少なくとも１つの突起３０２と、その末端に隣接して配置されたカムの壁内に半径方向外方に伸びる少なくとも１つのスロット３０４とを更に備えている。突起３０２及びスロット３０４は、工具ハウジング３０上で相補的なスロット９８及び突起９９とそれぞれ係合し、カムを所定位置に確実に固着し且つその回転又は動きを防止することを可能にすることが好ましい。張力軸２８２は、また、その基端にねじ付き部分２８６も備えており、該ねじ付き部分２８６は、ねじ付きの較正ナット２９４と螺着可能に係合し、張力粗調節ノブ３１０を工具２０に確実に固着し且つ操作者が基準の張力設定値を確立し色々な製造許容公差に対応することを許容する。較正ナット２９４のヘッド部２９７と、張力粗調節ノブ３１０の基端の内方に配置された全体としてセグメント化したディスク形状フランジ３１２との間に座金２９８が設けられることが好ましい。好ましくは、カム従動子３１４がセグメント化した各ディスクフランジ部分３１２から伸長し、該カム従動子は色々な対のカム面２９６、２９８、３００と協働し、直ちに所望の張力設定位置を提供し得るようにする。塵埃及びその他の汚染物質が較正ナット２９４及びその他の内部部品並びに機構に達するのを防止するため、張力粗調節ノブ３１０の基端を包み込み得るようにカバー３１６が設けられている。
【００３５】
操作者が張力粗調節ノブ３１０を回し、その結果、カム従動子３１４が回転するようにすることで張力ばね２７２の圧縮力を選択的に増大させる。低張力設定値のとき（図１３及び図１４）、カム従動子３１４は、第一のカムすなわち低張力カム面対２９６に係合し、張力ばね２７２の予め選択した圧縮力又は予負荷を確立する。カム従動子３１４が第一の対のカム面２９６に係合したとき、面の基端側の張力ナット２８８とヨーク端部プレート２７８との間の距離は実質的に最大値となり、このため、張力ばね２７２に作用する圧縮力は最小設定値となる。カム２９４はハウジング３０に対し確実に固着されているため、張力粗調節ナット３１０を低張力設定位置（図１３及び図１４）から中程度張力位置（図１７及び図１８）まで回転させると、張力ナット２８８はヨークの端部板２７８（その所定の位置に固定）に向けて基端方向に引き付けられ、その距離は、第二の対のカム面２９８に対する第一の対のカム面２９６の高さに対応する。当業者に明らかであるように、張力粗調節ノブ３１０は、張力ナット２８８を動かし得るように張力軸２８２を回転させず、粗調節ノブ３１０は張力軸２８２及びナット２８８をヨークの端部板２７８に向けて引っ張る。張力粗調節ノブ３１０を中程度の張力設定値まで回すと、カム従動子３１４は第二の対のカム面すなわち中程度の張力カム面２９８と係合し、このカム面は、第二の対のカム面２９８に対して第一の対のカム面２９６が伸びる程度に等しい程度だけ、ばね２７２の圧縮力を増加させる（且つ張力ナット２８８とヨークの端部板２７８との間の距離を短くする）。当業者が認識し得るように、張力粗調節ナット３１０を高張力設定値（図１９及び図２０）まで更に回すと、カム従動子３１４が第三の対のカム面３００に係合し、ばね２７２の圧縮力を更に増大させ且つ張力ナット２８８とヨーク端部プレート２７８との間の距離を更に短縮する。このようにして、張力ばね２７２の圧縮力を増大させると、力伝達アセンブリ２５０を介してボール回り止めアセンブリ２３２に付与される周方向規制力が増大し、最終的に、タイの末端１２の張力を増大させる。
【００３６】
操作者が張力粗調節ノブ３１０を回すことで選んだ張力値を微調節するすなわち「微調整」するための手段を有するように、第二のノブすなわち張力微調節ノブ２９０が設けられている。該張力微調節ノブ２９０は、張力軸２８２の中央部分２８５に対して相補的な形状とされ、好ましくは、この好ましい実施の形態において六角形とされた、貫通して軸方向に伸びる開孔２９２を有している。その結果、張力微調節ノブ２９０は張力軸の中央部分２８５に固定状態に取り付けられ、軸２８２及び張力微調節ノブ２９０は同時に回転可能である。このように、張力軸２８２が回転すると、ねじ付き張力ナット２８８は張力微調節ノブ２９０の回転方向に依存して、末端のねじ付き軸部分２８２の上で基端方向又は末端方向に僅かな距離だけ移動する。張力軸２８２は、カム２９４及び張力粗調節ノブ３１０の同軸状の穴開口部３０５、３１８を貫通して軸方向に伸び、張力微調節ノブ２９０を回すことで軸２８２を回転させたとき、軸２８２は張力粗調節ノブ３１０又はカム２９４に回転可能に係合しない。張力軸２８２の基端のねじ付き部分２８６は、張力粗調節ノブ３１０を回すことなく、較正ナット２９４に対し単に自由に螺着し又は分離するだけである。張力軸２８２の末端２８３はストッパ２８４により制限される距離だけねじ込まれる。ストッパ２８４は張力軸２８２の末端２８３における張力ナット２８８の移動程度を制限し、これに対応して、ばね２７２を圧縮したときの張力を微調節する程度を制限する。張力微調節ナット２９０を回すことにより、操作者は、張力ナット２８８とヨークの端部プレート２７８との間にてばねの長さを僅かに長くし又は短くすることができる。
【００３７】
図７には、スリーブ３３２と、戻しばね３４８と、レバーアーム３５０と、ばね３５８と、切断ブレード３６０と、ブレードガード７０と、アンビル７６とを備える切断機構３３０の１つの好ましい実施の形態が図示されている。スリーブ３３２は、略々円筒状の形状であり、穴３３３が貫通して軸方向に伸び、張力ロッド１２２を所望の整合状態にて受け入れ且つ支持し得る形態とされている。スリーブに対する支持面すなわち作動面１００がハウジング３０及びボール回り止めアセンブリ２３２により提供される。ハウジングの側部９０、９２の各々は、形成される円筒状の形状の支持面１０２により接続された全体として半円形の一対の突起１０１を有している。スリーブ３３２の末端の支持面３３８は、ハウジングの支持面１０２よりも僅かに小径であり、その結果、スリーブ３３２を、殆ど力を必要とせずに、支持面１０２の上方で長手方向に作動させ得るようにすることが好ましい。戻りばね３４８及びレバーアーム３５０と協働するスリーブ３３２のヘッド部３３４がスリーブの末端の支持面３３８に隣接して配置されている。戻りばね３４８を受け入れ且つ位置決めし得るようにスリーブ３３２のヘッド部３３４には円筒状の空所３３５が形成されており、該戻りばねは、タイの末端１２を切断した後、スリーブ３３２を基端方向に偏倚させる。更に、戻しばね３４８は、スリーブ３３２が解放されたとき、操作者の手に対する衝撃を軽減する。この衝撃吸収効果は工具の人間工学的特徴を向上させる。ばね３４８の末端は両側壁９０、９２により形成された壁１０６に係合し、該側壁は、張力ロッド１２２及びグリッパアセンブリ１３２を更に支持するため貫通する開孔１０７を有している。空所３３５の外側に配置されたスリーブヘッド部３３４の末端面は基端方向に角度が付けられており、レバーアーム３５０と係合する環状の作動面３３６を形成する。
【００３８】
所望の程度だけ隔てられた一対の肩部３４０により形成された通路３４２が末端の支持面３４４の基端方向に配置されている。該通路は、スリーブ３３２の外周の周りを半径方向に伸びる。通路３４２は、浮動自在な形態にて反対側に配置された内側リンク１９８の半穿刺部２００を緊密に捕捉することが好ましい。半穿刺部２００は円形の形状であることが好ましいから、許容公差の小さい浮動自在な係合が実現される。この構造において、トリガー部１７４を基端方向に引き且つタイの末端１２を緊張させたとき、作動機構１７０は末端方向に一定の力を付与することができる。略々平滑な外側に形成された溝３４６を有するスリーブ３３２の基端側の支持面３４４が通路３４２に隣接して基端方向に配置されている。該溝３４６は、所望の位置にてスリーブ３３２の外周の周りを伸び且つ工具２０の最初の位置に配置された複数のボールベアリング２４０を実質的に受け入れ得る寸法とされている。
【００３９】
ボール回り止めアセンブリ２３２は、スリーブ３３２の動きを支持し、案内し且つ制御する。回り止めハウジング２３４は、カップ２３６の末端又は底部にて基端側の支持面３４４の平滑な円筒状部分に対するベアリング要素２３８を提供する。ボール回り止めアセンブリ２３２のボールベアリング２４０は、溝３４６内にて周方向に付勢され且つ内側リンク１９８により付与される一定の力に抗し且つスリーブ３３２の動きを防止して、所望の予め設定した張力設定値が実現される迄、切断機構３３０を作動させない。この作用に関して以下に更に説明する。
【００４０】
切断機構のレバーアーム３５０の基端３５２は、全体として、円弧状又は円形の形状の突出部３５３を有する。好ましくは、塗布された少量のグリースは、スリーブの作動面３３６がレバーアーム３５０を平滑に回動可能に作動させ得るようにする。スリーブ３３２に付与された力が所望の張力設定値に等しく、その後にその設定値を上廻ると、ボール回り止めアセンブリ２３２のボールベアリング２４０は溝３４６から半径方向外方に付勢され、座部２４２を基端方向に押し、これにより、張力調節アセンブリ２７０内に蓄えられた力を上廻り、次に、スリーブ３３２を内側リンク１９８により末端方向に更に付勢させ、レバーアーム３５０の基端３５２を外筒５０の底部５６に向けて付勢させる。枢着ピン３５７を受け入れ得るようにレバーアーム３５０の中央部分の所望の位置に横方向に伸びる開孔３５６が設けられている。ピン３５７は、ハウジング側壁９０、９２の各々に形成されたピンボス１０３に係合し得るように相補的な寸法とされている。レバーアーム３５０の末端３５４は、段状面すなわち持ち上がった面３５５を有している。段状面３５５は切断ブレード３６０の下端３６２に配置されたスロット３６４に係合する。切断ブレード３６０は、レバーアーム３５０が動く間、案内ボス６８とブレードガード７０との間の拘束位置に止まり且つタイの末端１２を切断した後、頂部要素７５のアンビル７６に係合する。
【００４１】
調節レベル設定値を視覚的に表示する手段全体が、図１４乃至図１６、図１７及び図１９に参照番号３２０で図示されている。張力調節アセンブリ２７０に隣接して工具ハウジング３０の持ち上がった上面５４に窓部１０４が形成されている。案内軌道１０５がハウジング側壁９０、９２に形成され且つディスプレイプレート３２１を支持する。該ディスプレイプレート３２１は軌道１０５内を摺動可能である。摺動可能なディスプレイプレート３２１は全体として平坦であり、一対の平行な垂下突起３２３により画定された切欠き３２２の形態にて張力調節アセンブリに係合する手段を備えている。切欠き３２２は、張力ナット２８８の上側伸長部２９２に係合し且つ該上側伸長部と共に対応して移動する。
【００４２】
該工具は、ハンドル３２の底部４０外に伸び且つ該底部内に引っ込み得るように配置された引っ込み可能な吊り輪４１（図２１）を更に備えている。
作用時、図１４乃至図１６に図示するように、ケーブルタイ末端１２は、ワイヤー又はケーブルの束１３の周りに巻き付け且つケーブルタイヘッド部１１を通して挿入した後、工具２０がその正常な最初の休止位置にある状態でタイスロット７３内に挿入し、タイヘッド部１１がタイスロット７３に隣接する位置に配置され且つリセス部分７２内に受け入れられるようにする。ブレードガード７０、案内ボス６８及びカバー１４４は、協働してタイの末端１２をハウジング３０の頂部５２から上方に方向決めする。操作者がトリガー部１７４をハンドル３２に向けて引くと、グリップリンク２１０及び内側リンク１９８はブッシュ２１４の中心軸線の周りを回転し、半穿刺部２００のブッシュ２１４は、この箇所にて同軸状に横方向に整合される。トリガー部１７４が動く間、連結機構アセンブリ１７６を介して張力ロッド１２２に力が付与され、反対方向に向いた力は内側リンクの半穿刺部２００を介してスリーブ３３２に付与される。規制機構２３０により緊張する間、スリーブ３３２は静止状態に保持される。グリッパアセンブリ１３２を案内ボス６８から追い出すと、爪１５０は反時計回り方向に回転して、タイの末端１２を爪１５０と圧力板１３９との間に捕捉する。
【００４３】
全体として、所望の予め設定した張力設定値を実現する前に、グリップリンク２１０に取り付けられた内側リンク１９８は、駆動リンク１８８を工具２０の基端に向けて後方に押し、張力リンク１７８をそのそれぞれの枢着ピン１８２の周りで回転させる。半穿刺部１８５は、張力リンク１７８の上端１８４に存在し、張力ロッド１２２に形成された通路１２６に確実に係合し、同様に、張力ロッド１２２を後方に又は工具２０の基端２４に向けて直線状に引張る。スリーブ３３２はその最初の位置に静止しており、ボールベアリング２４０が溝３４６に係合し且つスリーブ３３２に付与される力が張力調節アセンブリ２７０内に蓄えられた力以下である限り、張力調節アセンブリ２７０内で蓄えられた力に等しい周方向力を付与する。ケーブルタイ１０にて所望の予め設定した張力設定値が実現されたとき、すなわち、より正確には、内側リンク１９８により末端方向に向けてスリーブ３３２に付与された力が張力調節アセンブリ２７０にて蓄えられた力を上廻るとき、ボールベアリング２４０はスリーブ３３２の溝３４６から外に付勢される。ボールベアリング２４０が溝３４６から外に付勢され、座部を僅かに基端方向に押した時に、張力調節アセンブリ２７０内で蓄えられた力を上廻り、これにより、力伝達アセンブリ２５０は張力ばね２７２を一時的に更に圧縮する。操作者がトリガー１７４を引き続けると、内側リンク１９８はスリーブ３３２を末端方向前方に押して、作動面３３６がレバーアーム３５０に力を付与するようにする。該力は、レバーアーム３５０を回動させ、段状面３５５及び切断ブレード３６０を上方に持ち上げ且つケーブルタイ１０を切断する。工具２０は、レバーアームのばね３５８、スリーブの戻りばね３４８及びハンドルの戻りばね１７２の偏倚作用を介してその通常の位置に再設定される。上述したように切断した後、ケーブルタイ末端１２を解放させる。
【００４４】
本発明の好ましい実施の形態を図示し且つ説明したが、特許請求の範囲により規定される本発明の範囲及び精神から逸脱せずに変更及び改変を加え得ることが当業者には明らかであろう。
【図面の簡単な説明】
【図１】全体として上述した型式のケーブルタイを受け入れる準備が整い、また、タイを束の周りに締め付け又は緊張させるべく作動しようとする状態で示した、本発明を具体化する工具の左側面斜視図である。
【図２】ストラップ及び束を省略した図１の工具の右側面斜視図である。
【図３】図１の工具の平面図である。
【図４】左側本体ハウジングを除去した図１の工具の側面図である。
【図５】図４の工具の左側面斜視図である。
【図６】図１の工具の分解斜視図である。
【図７】図３の略線７−７に沿った工具の部分断面図である。
【図８】図４の略線８−８に沿った工具の部分断面図である。
【図９】図４の略線９−９に沿った工具の部分断面図である。
【図１０】図４の略線１０−１０に沿った工具の部分断面図である。
【図１１】図４の略線１１−１１に沿った工具の部分断面図である。
【図１２】図４の略線１２−１２に沿った工具の部分側面断面図である。
【図１３】低張力位置にて整合した状態を示す、張力粗調節ノブ及び協働するカムの拡大分解図である。
【図１４】緊張アセンブリの粗調節ノブが低張力位置にて整合した状態を示す、図１の作動工具の概略図である。
【図１５】図４と異なる作動状態を示す工具の概略図である。
【図１６】図１５に図示した規制機構の部分拡大側面図である。
【図１７】張力粗調節ノブが中程度の張力位置にて整合された状態を示す、図１の工具の緊張アセンブリの拡大側面部分図である。
【図１８】中程度の張力位置にて整合した状態を示す、張力粗調節ノブ及び協働するカムの拡大分解図である。
【図１９】張力粗調節ノブが高張力位置にて整合した状態にて示す、図１の工具の緊張アセンブリの拡大側面部分図である。
【図２０】高張力位置にて整合した状態を示す、張力粗調節ノブ及び協働するカムの拡大分解図である。
【図２１】図１の工具のハンドルにおける下方部分の部分拡大図である。
【符号の説明】
１０  ケーブルタイ              １１  ケーブルタイヘッド
１２  タイ末端                  １３  ワイヤー束
１８  軸                        ２０  工具
２２  工具の末端
２４  工具の基端                ２６  外筒部分の長手方向軸線
３０  ハウジング                ３２  ハンドル部分
３４  ハンドルの前側部          ３５  衝撃力吸収パッド
３６  ハンドル部分の後側部
３７  リセス部                  ３８、３９  ハンドル部分の両側壁
４０  ハンドル部分の底部        ５０  外筒部分
５２  外筒部分の頂部            ５３  上部分／平坦な頂部分
５４  持ち上がった面            ５６  外筒部分の底部
５８  矩形の開孔                ６０、６２  外筒部分の両側部
６３  平坦要素                  ６４  湾曲面
６６  該当部分の前側部          ６７  リセス部
６８  案内ボス                  ６９  案内ボスの後側部
７０  ブレードガード            ７１  ブレードガードの前側の平坦面
７３  タイスロット              ７４  側部要素
７５  頂部要素                  ７６  アンビル
９０、９２  ハウジングの側壁部分
９３  空所                      ９４  突起
１２０  緊張機構                １２２  張力ロッド
１２３  張力ロッドの基端        １２４  肩部
１２６  通路                    １２７  ロッドの末端
１２８  ねじ部                  １２９  ナット
１３２  グリッパアセンブリ      １３４  ハウジング
１３７  端板                    １３８  開孔
１３９  タイ圧力板              １４０  開孔
１４１  タイ通路                １４４  カバー
１４５  開孔                    １４６  端板
１５０  爪                      １５４  タイ掴み歯部分
１５２  軸                      １５３  捩りばね
１５５  爪の前側部              １７０  作動機構／取付けボス
１７２  ハンドルの戻りばね
１７４  トリガー部              １７６  機械的連結機構アセンブリ
１７８  張力リンク              １７９  張力リンクの下端
１８０  回動開孔                １８１  スリーブスペーサ
１８２  ピン                    １８４  張力リンクの最上端
１８５  半穿刺部／ニブ伸長部    １８６  張力リンクの開孔
１８８  駆動リンク              １８９  駆動リンクの基端
１９４  駆動リンクの末端        １９８  内側リンク
１９９  上端                    ２００  半穿刺部／ニブ伸長部
２０２  下端                    ２０３  開孔
２０４  開孔                    ２０５  軸
２０６  軸                      ２１０  グリップリンク
２１２  グリップリンクの上端    ２１３  開孔
２１４  ブッシュ                ２２０  トリガーのカバー
２３０  規制機構                ２３４  ハウジング
２３５  フランジ部分            ２３６  カップ形状の底部
２４０  ボールベアリング        ２５０  力伝達アセンブリ
２６３  カップ                  ２７０  張力調節アセンブリ
２７２  張力ばね                ３３０  切断機構
３３２  スリーブ                ３３６  作動面
３４０  肩部                    ３４６  溝
３４８  スリーブの戻りばね      ３５０  レバーアーム
３５５  段状面
３５８  切断ブレードのばね      ３６０  切断ブレード
【図１】
0004724865.tif 000002
【図２】
0004724865.tif 000003
【図３】
0004724865.tif 000004
【図４】
0004724865.tif 000005
【図５】
0004724865.tif 000006
【図６】
0004724865.tif 000007
【図７】
0004724865.tif 000008
【図８】
0004724865.tif 000009
【図９】
0004724865.tif 000010
【図１０】
0004724865.tif 000011
【図１１】
0004724865.tif 000012
【図１２】
0004724865.tif 000013
【図１３】
0004724865.tif 000014
【図１４】
0004724865.tif 000015
【図１５】
0004724865.tif 000016
【図１６】
0004724865.tif 000017
【図１７】
0004724865.tif 000018
【図１８】
0004724865.tif 000019
【図１９】
0004724865.tif 000020
【図２０】
0004724865.tif 000021
【図２１】
0004724865.tif 000022